(57)【要約】【課題】エンジンオイルをスムーズに流動させるシリンダブロックのオイル流路構造を提供する。【解決手段】オイルポンプ１２からオイルクーラ１３までシリンダブロック１１に形成されるシリンダブロック１１のオイル流路構造であって、オイルポンプ１２をシリンダブロック１１の側面に備えると共に、オイル流路１４を、シリンダブロック１１の側面に沿うよう、オイルポンプ１２と同一側面に形成する。【選択図】図１
2007056805.tif 000002
【特許請求の範囲】
【請求項１】
オイルポンプからオイルクーラまでシリンダブロックに形成されるシリンダブロックのオイル流路構造であって、オイルポンプをシリンダブロックの側面に備えると共に、オイル流路を、シリンダブロックの側面に沿うよう、オイルポンプと同一側面に形成したことを特徴とするシリンダブロックのオイル流路構造。
【請求項２】
オイルクーラをシリンダブロックの上部に配置したことを特徴とする請求項１記載のシリンダブロックのオイル流路構造。
【請求項３】
オイルポンプからオイル流路への送出口を、オイルポンプの駆動手段の送出方向に合わせたことを特徴とする請求項１又は２記載のシリンダブロックのオイル流路構造。
【発明の詳細な説明】
【技術分野】
【０００１】
本発明は、シリンダブロックにオイル流路を備えるシリンダブロックのオイル流路構造に関するものである。
【背景技術】
【０００２】
一般に、エンジンは、図３、図４に示す如くシリンダブロック１の一側に、オイルパン（図示せず）からエンジンオイルを送出するオイルポンプ２を備えると共に、シリンダブロック１の他側に、エンジンオイルを冷却するオイルクーラ（図示せず）を配置しており、シリンダブロック１には、オイルポンプ２からオイルクーラへエンジンオイルを送給し得るよう一側から他側へ向かうオイル流路３を形成している。
【０００３】
ここで、オイルポンプ２は、複数のギア（図４では二個）４と、ギア４を配置してエンジンオイルの送出口５を形成するポンプ室６と、オイルパンからポンプ室６へエンジンオイルを送給する送給流路７とを備えており、ポンプ室６及び送給流路７は、シリンダブロック１の側面に、ポンプ室用の溝部８及び送給流路用の溝部９を形成し、夫々の溝部８，９に蓋体１０を装着して構成されている。又、ポンプ室６の送出口５は、ポンプ室用の溝部８における底面８ａの側端位置に形成されている。なお、図４では、ポンプ室用の溝部８に装着する蓋体１０のみ示している。
【０００４】
一方、オイルクーラは、エンジン冷却水を利用する水冷式でも良く、ラジエータと略同様に外気で冷却する空冷式でも良い。
【０００５】
エンジンオイルをオイルポンプ２からオイルクーラまで送給する際には、オイルポンプ２のギア４を回転させることによりエンジンオイルを送出口５から吐出し、シリンダブロック１のオイル流路３を介してオイルクーラに送給している。ここで、オイルポンプ２からエンジンオイルを吐出する際には、エンジンオイルが、ギア４の回転によりポンプ室用の溝部８の周面８ｂに沿って流動し、ポンプ室６の先端で流動方向を、ポンプ室用の溝部８の周面８ｂから略垂直方向の底面８ａに変えて送出口５から吐出されている。
【０００６】
なお、オイルクーラ、オイルポンプ、オイル流路の構造に関連する先行技術文献としては、下記の特許文献１、２がある。
【特許文献１】実開平２−４３４０６号公報
【特許文献２】特開平１１−１２５１０５号公報
【発明の開示】
【発明が解決しようとする課題】
【０００７】
しかしながら、このようなオイル流路３の構造では、エンジンオイルをオイルポンプ２からオイル流路３へ吐出する際に、エンジンオイルの流動方向をシリンダブロック１の同一平面方向から略垂直方向へ変更するため、エンジンオイルの抵抗が増し、エンジンオイルをスムーズに流動させることができないという問題があった。
【０００８】
本発明は上述の実情に鑑みてなしたもので、エンジンオイルをスムーズに流動させるシリンダブロックのオイル流路構造を提供することを目的としている。
【課題を解決するための手段】
【０００９】
本発明は、オイルポンプからオイルクーラまでシリンダブロックに形成されるシリンダブロックのオイル流路構造であって、オイルポンプをシリンダブロックの側面に備えると共に、オイル流路を、シリンダブロックの側面に沿うよう、オイルポンプと同一側面に形成したことを特徴とするシリンダブロックのオイル流路構造、に係るものである。
【００１０】
本発明は、オイルクーラをシリンダブロックの上部に配置することが好ましい。
【００１１】
本発明は、オイルポンプからオイル流路への送出口を、オイルポンプの駆動手段の送出方向に合わせることが好ましい。
【００１２】
このように、本発明によれば、オイル流路を、シリンダブロックの側面に沿うよう、オイルポンプと同一側面に形成するので、シリンダブロックの同一平面方向から略垂直方向へ変更するようなエンジンオイルの流動方向の変更を不要にし、エンジンオイルの抵抗の増加を抑制してエンジンオイルをスムーズに流動させることができる。
【００１３】
オイルクーラをシリンダブロックの上部に配置すると、オイルクーラへエンジンオイルを送給するオイル流路をオイルポンプと同一側面に形成し得るので、エンジンオイルの流動方向の変更を不要にし、エンジンオイルの抵抗の増加を一層抑制してエンジンオイルをスムーズに流動させることができる。
【００１４】
オイルポンプからオイル流路への送出口を、オイルポンプの駆動手段の送出方向に合わせると、エンジンオイルの流動方向の変更を不要にし、エンジンオイルの抵抗の増加を一層抑制してエンジンオイルをスムーズに流動させることができる。
【発明の効果】
【００１５】
上記した本発明のシリンダブロックのオイル流路構造によれば、エンジンオイルの流動方向の変更を不要にし、エンジンオイルの抵抗の増加を抑制してエンジンオイルをスムーズに流動させることができるという種々の優れた効果を奏し得る。
【発明を実施するための最良の形態】
【００１６】
以下本発明の実施の形態を図面を参照しつつ説明する。
【００１７】
図１、図２は本発明を実施する形態例を示すものである。
【００１８】
本発明の形態例において、エンジンは、シリンダブロック１１の一側に、オイルパン（図示せず）からエンジンオイルを送出するオイルポンプ１２を備えると共に、シリンダブロック１１の上部でオイルポンプ側に、エンジンオイルを冷却するオイルクーラ１３を配置しており、シリンダブロック１１には、オイルポンプ１２からオイルクーラ１３までシリンダブロック１１の側面に沿って延在するオイル流路１４を形成している。
【００１９】
ここで、オイルポンプ１２は、駆動手段の複数のギア（図１では二個）１５と、ギア１５を配置してエンジンオイルの送出口１６を形成するポンプ室１７と、オイルパンからポンプ室１７へエンジンオイルを送給する送給流路１８とを備えており、ポンプ室１７及び送給流路１８は、シリンダブロック１１の側面に、ポンプ室用の溝部１９及び送給流路用の溝部２０を形成し、夫々の溝部１９，２０に蓋体２１を装着して構成されている。又、ポンプ室１７の送出口１６は、オイルポンプ１２内のエンジンオイルの流動方向とオイル流路１４での流動方向を同一平面上にするよう、オイルポンプ１２のギア１５によるエンジンオイルの送出方向に合わせて、ポンプ室用の溝部１９における周面１９ａの側端位置に形成されている。なお、図２では、ポンプ室用の溝部１９に装着する蓋体２１のみ示している。
【００２０】
一方、オイルクーラ１３は、エンジン冷却水を利用する水冷式でも良く、ラジエータと略同様に外気で冷却する空冷式でも良い。
【００２１】
以下、本発明を実施する形態例の作用を説明する。
【００２２】
エンジンオイルをオイルポンプ１２からオイルクーラ１３まで送給する際には、オイルポンプ１２のギア１５を回転させることによりエンジンオイルを送出口１６から吐出し、シリンダブロック１１のオイル流路１４を介してオイルクーラ１３に送給する。
【００２３】
ここで、オイルポンプ１２からエンジンオイルを吐出する際には、エンジンオイルが、ギア１５の回転によりポンプ室用の溝部１９の周面１９ａに沿って流動し、ポンプ室１７の先端で流動方向を変えることなく、同一平面上で流動するよう、ポンプ室用の溝部１９の周面１９ａに形成された送出口１６から吐出される。
【００２４】
このように、実施の形態例によれば、オイル流路１４を、オイルポンプ１２からオイルクーラ１３までシリンダブロック１１の側面に沿うよう、オイルポンプ１２と同一側面に形成するので、シリンダブロック１１の同一平面方向から略垂直方向へ変更するようなエンジンオイルの流動方向の変更を不要にし、エンジンオイルの抵抗の増加を抑制してエンジンオイルをスムーズに流動させることができる。
【００２５】
オイルクーラ１３をシリンダブロック１１の上部に配置すると、オイルクーラ１３へエンジンオイルを送給するオイル流路１４をオイルポンプ１２と同一側面に形成し得るので、エンジンオイルの流動方向の変更を不要にし、エンジンオイルの抵抗の増加を一層抑制してエンジンオイルをスムーズに流動させることができる。
【００２６】
オイルポンプ１２からオイル流路１４への送出口１６を、オイルポンプ１２の駆動手段の送出方向に合わせると、エンジンオイルの流動方向の変更を不要にし、エンジンオイルの抵抗の増加を一層抑制してエンジンオイルをスムーズに流動させることができる。
【００２７】
尚、本発明のシリンダブロックのオイル流路構造は、上述の形態例にのみ限定されるものではなく、本発明の要旨を逸脱しない範囲内において種々変更を加え得ることは勿論である。
【図面の簡単な説明】
【００２８】
【図１】本発明を実施する形態例のシリンダブロックのオイル流路構造を示す概念図である。
【図２】本発明を実施する形態例のシリンダブロックのオイル流路構造におけるオイルポンプを拡大して示す概念図である。
【図３】従来のシリンダブロックのオイル流路構造を示す概念図である。
【図４】従来のシリンダブロックのオイル流路構造におけるオイルポンプを拡大して示す概念図である。
【符号の説明】
【００２９】
１１    シリンダブロック
１２    オイルポンプ
１３    オイルクーラ
１４    オイル流路
１５    ギア（駆動手段）
１６    送出口
【図１】
2007056805.tif 000003
【図２】
2007056805.tif 000004
【図３】
2007056805.tif 000005
【図４】
2007056805.tif 000006